(57)【要約】      （修正有）【課題】屋外に張り出したコンクリート囲壁を形成する垂直型枠をコンクリートが打設されない外枠側から強固に支持することが可能であり、かつ取付、取外しが簡単な垂直型枠の支持具を提供する。【解決手段】垂直型枠の支持具１であって、水平型枠２０と平行な第１水平アーム部１０及び垂直型枠３０と平行な第１垂直アーム部１１がＬ字形をなし、該第１垂直アーム部が該垂直型枠に接触するように配置して該第１水平アーム部を該水平型枠に固定する第１部材５と、上記水平型枠と平行に伸縮自在な第２水平アーム部１３及び上記垂直型枠と平行な第２垂直アーム部１２がＬ字形をなし、該第２垂直アーム部を上記第１垂直アーム部に着脱自在に嵌合させ、該第２水平アーム部で該垂直型枠上端を保持する第２部材６と、を備えた。【選択図】図１
0003211868.tif 000002
【実用新案登録請求の範囲】
【請求項１】
スラブの水平型枠上に組み付けられ、屋外に張り出すコンクリート囲壁を形成する垂直型枠の支持具であって、
前記水平型枠と平行な第１水平アーム部及び前記垂直型枠と平行な第１垂直アーム部がL字形をなし、該第１垂直アーム部が該垂直型枠に接触するように配置して該第１水平アーム部を該水平型枠に固定する第１部材と、
前記水平型枠と平行に伸縮自在な第２水平アーム部及び前記垂直型枠と平行な第２垂直アーム部がL字形をなし、該第２垂直アーム部を前記第１垂直アーム部に着脱自在に嵌合させ、該第２水平アーム部で該垂直型枠上端を保持する第２部材と、を備えたことを特徴とする垂直型枠の支持具。
【請求項２】
前記第１水平アーム部は、前記垂直型枠よりも屋外側に張り出した前記水平型枠の先端部分に固定され、
前記第１垂直アーム部又は前記第２垂直アーム部は、前記垂直型枠のうち屋外側に配置された屋外側型枠の屋外側への傾斜を阻止し、
前記第２水平アーム部は、セパレータにより前記屋外側型枠と等間隔に組み付けられた建屋側型枠の建屋側への傾斜を阻止することを特徴とする請求項１記載の垂直型枠の支持具。
【請求項３】
前記第２水平アーム部は、前記第２垂直アーム部に直結した中空の調整手段と、
該調整手段に移動自在に嵌合して前記垂直型枠を係止する係止手段と、該係止手段を水平方向に移動させる移動手段とを備え、該調整手段の中空部分を該係止手段が移動することにより伸縮自在であることを特徴とする請求項２記載の垂直型枠の支持具。
【請求項４】
前記係止手段は、前記建屋側型枠を係止する係止部と前記調整手段の中空部分を自在に移動する嵌合部とを有し、
前記移動手段は、前記嵌合部又は前記係止部に回動自在に固定され、前記調整手段に形成されたねじ孔に螺合する第１長尺ボルトであることを特徴とする請求項３記載の垂直型枠の支持具。
【請求項５】
前記建屋側型枠は、前記スラブ表面に溝を形成する溝部材が下端に配置されたものであって、
前記係止手段は、前記建屋側型枠の桟木を掛止する掛止部と、前記係止部に固定されたねじ部に螺合され一端が該掛止部に回動自在に固定された第２長尺ボルトとを有し、
前記掛止部材は、第２長尺ボルトを回すことにより上下方向に移動することを請求項４記載の垂直型枠の支持具。
【請求項６】
スラブの水平型枠上に組み付けられ、屋外に張り出すコンクリート囲壁を形成する垂直型枠の支持具であって、
L字形の中空のアーム部及び該アーム部の一端に固定されたL字形の平板部を有し、該アーム部が前記垂直型枠に接触するように配置して該平板部を前記水平型枠に固定する第３部材と、
前記アーム部の中空の他端に嵌合されて前記水平型枠と並行に移動する嵌合部及び前記垂直型枠の上端を係止する係止部を有する第４部材とを備え、
前記第３部材は、前記第４部材を水平方向に移動させる移動手段を有することを特徴とする垂直型枠の支持具。
【請求項７】
前記移動手段は、先端が前記嵌合部に回動自在に固定され、前記アーム部に形成されたねじ孔に螺合する第１長尺ボルトであって、
前記係止部は、前記垂直型枠のうちの建屋側型枠に固定された桟木を掛止する掛止部、前記係止部に固定されたねじ部、該ねじ部に螺合され、一端が該掛止部に回動自在に固定された第２長尺ボルトを有し、
前記掛止部は、前記第２長尺ボルトを回すことにより上下方向に移動することを請求項６記載の垂直型枠の支持具。
【考案の詳細な説明】
【技術分野】
【０００１】
本考案は、ベランダやバルコニーなど上端がフリーな壁体を施工する際にスラブの水平型枠上に組み付ける垂直型枠の支持具に関するものである。
【背景技術】
【０００２】
ベランダやバルコニーなど上端がフリーな壁体を施工するには、壁体の上端が直線状をなし、いわゆる通りが出ることを要求され、その良否により、建物の仕上がりが評価されるといっても過言ではない。従って、コンクリートの打設前に、壁体構築用の型枠が一列に並ぶように微調整が行われる。しかしながら、コンクリート打設時に人やホースが乗ることによる重量や振動で型枠が傾くことがある。また、打設後にコンクリートの重圧にも十分に耐え垂直性を保持する必要がある。
そこで、コンクリートが打設される側のスラブ型枠に固定手段を設け、その固定手段にピンで留めた接続部材に筋交いとなる連結管の一端側をピンで結合し、他端側を垂直型枠の適当な個所に固定することにより型枠が直立状態で保持できるようにし、型枠解体時には、ピンを外して連結管を除去すると共に、固定手段はコンクリート中に埋め殺し、コンクリート表面から突出した接続部材のみを切除して除去する方法が開示されている（特許文献１）。
しかし、この方法は、コンクリート表面に沿って接続部材を切除するのに労力と時間がかかるうえ、熟練が必要である。従って、接続部材に、断面がC字形またはU字形になるように曲げ加工した帯状金属板を使用し、型枠解体時には、接続部材の埋設部分と突出部分との境界で折曲げて破断することにより接続部材を容易に除去できるようにしたものが開示されている（特許文献２）。
しかしながら、スラブ型枠に固定手段を設置し、筋交いで固定する方法は、設置作業や除去作業、コンクリート補修作業に多大の労力が必要である上、熟練者によらなければ施工することができない。また、固定手段を複数設置し、それらが埋め殺しされるのでコストがかかる上、コンクリートを打設する際に連結管などが邪魔になる。
そこで、横締鋼管が橋絡状に架設された垂直型枠の内側の型枠に垂直アーム部と水平アーム部とを有する支持具を配置し、横締鋼管を垂直アーム部で掛止し、スラブ型枠のセパレータに水平アーム部を固定する方法が開示されている（特許文献３）。
しかしながら、この方法も、垂直型枠の内枠側に支持具を配置するので、支持具をコンクリートが打設される側で固定しなければならない。
これに対し、支持具を、コンクリートが打設されない垂直型枠の外枠側に配置する方法が提案されている。
例えば、スラブを形成する水平型枠に設けられた桟木に対し、側方に張出された取付板を介して着脱可能に取り付けられる固定管部と、その固定管部に昇降可能に挿入された可動管部とからなる支柱部材を縦に複数本立設し、その支柱部材に交叉する支持部材を設け、固定手段で垂直型枠を支持するように構成した型枠板支持装置が提案されている（特許文献４）。また、パイプサポートで支保された大引き等に取り付けられたL形の補強金物に支柱を取り付け、その支柱にボルトと可動子とからなる押し引き具の一端を取り付け、他端を垂直型枠に取り付けて、支柱に取り付けた位置を調整することにより、型枠の位置を規定する型枠位置矯正装置が提案されている（特許文献５）。
【先行技術文献】
【特許文献】
【０００３】
【特許文献１】実公平６−３１０４９号公報
【特許文献２】特開平８−１２８２０号公報
【特許文献３】特開平４−６８１６２公報
【特許文献４】特開２００３−１２００５２号公報
【特許文献５】実用新案登録第３１０２３９３号公報
【考案の概要】
【考案が解決しようとする課題】
【０００４】
しかしながら、スラブ形成用水平型枠の外側に複数本の支柱を立てる方法は、建物の外周に設置する足場との間隔があまりとれない現場では設置が困難であること、支柱の高さが高い場合には、支柱の支持点に大きなトルクが加わるので、支柱を垂直に保持するのが困難になる。
本考案は、かかる事情に鑑み、屋外に張り出したコンクリート囲壁を形成する垂直型枠をコンクリートが打設されない外枠側から強固に支持することが可能であり、かつ取付、取外しが簡単な垂直型枠の支持具を提供することを目的とする。
【課題を解決するための手段】
【０００５】
本考案の垂直型枠の支持具は、スラブの水平型枠上に組み付けられ、屋外に張り出すコンクリート囲壁を形成する垂直型枠の支持具であって、上記水平型枠と平行な第１水平アーム部及び上記垂直型枠と平行な第１垂直アーム部がL字形をなし、該第１垂直アーム部が該垂直型枠に接触するように配置して該第１水平アーム部を該水平型枠に固定する第１部材と、上記水平型枠と平行に伸縮自在な第２水平アーム部及び上記垂直型枠と平行な第２垂直アーム部がL字形をなし、該第２垂直アーム部を上記第１垂直アーム部に着脱自在に嵌合させ、該第２水平アーム部で該垂直型枠上端を保持する第２部材と、を備えたことを特徴とする。
このように、L字形の第１部材を垂直型枠に接触するように配置して、水平型枠に固定し、第１部材に着脱自在に嵌合させたL字形の第２部材で垂直型枠上端を保持するので、垂直型枠を強固に保持することができる。
そして、上記第１水平アーム部は、上記垂直型枠よりも屋外側に張り出した上記水平型枠の先端部分に固定されれば、上記第１垂直アーム部又は上記第２垂直アーム部は、上記垂直型枠のうち屋外側に配置された屋外側型枠の屋外側への傾斜を阻止し、上記第２水平アーム部は、セパレータにより上記屋外側型枠と等間隔に組み付けられた建屋側型枠の建屋側への傾斜を阻止することができる。
その場合、上記第２水平アーム部は、上記第２垂直アーム部に直結した中空の調整手段と、該調整手段に移動自在に嵌合して上記垂直型枠を係止する係止手段と、該係止手段を水平方向に移動させる移動手段とを備え、該調整手段の中空部分を該係止手段が移動することにより伸縮自在であることが好ましい。
このように、第２部材の第２水平アーム部が伸縮自在であれば、垂直型枠の一対の型板相互の間隔が様々であっても、垂直型枠の上端を強固に保持することができる。
また、上記係止手段は、上記建屋側型枠を係止する係止部と上記調整手段の中空部分を自在に移動する嵌合部とを有し、上記移動手段は、上記嵌合部又は上記係止部に回動自在に固定され、上記調整手段に形成されたねじ孔に螺合する第１長尺ボルトにより構成すれば、ボルトを回すことにより、係止部を容易に移動して、垂直型枠の型板相互の間隔が様々であっても対応することができることができる。
さらに、上記建屋側型枠は、上記スラブ表面に溝を形成する溝部材が下端に配置されたものであって、上記係止手段は、上記建屋側型枠の桟木を掛止する掛止部と、上記係止部に固定されたねじ部に螺合され一端が該掛止部に回動自在に固定された第２長尺ボルトとを有し、該掛止部は、第２長尺ボルトを回すことにより上下方向に移動することも好ましい態様である。
このようにすれば、桟木を掛止する掛止部の高さが異なっていても、第２長尺ボルトで高さ調整して掛止することができるので、建屋側型枠の低下を阻止できる。
【０００６】
また、他の考案の垂直型枠の支持具は、スラブの水平型枠上に組み付けられ、屋外に張り出すコンクリート囲壁を形成する垂直型枠の支持具であって、L字形の中空のアーム部及び該アーム部の一端に固定されたL字形の平板部を有し、該アーム部が上記垂直型枠に接触するように配置して該平板部を上記水平型枠に固定する第３部材と、上記アーム部の中空の他端に嵌合されて上記水平型枠と並行に移動する嵌合部及び上記垂直型枠の上端を係止する係止部を有する第４部材とを備え、上記第３部材は、上記第４部材を水平方向に移動させる移動手段を有することを特徴とする。
このように、第３部材をL字形の中空のアーム部とそのアーム部の一端に固定されたL字形の平板部とにより構成し、アーム部の中空の他端に嵌合する第４部材を嵌合部と係止部とで構成することによっても、垂直型枠を強固に保持することができる。
その場合、上記移動手段は、先端が上記嵌合部又は上記係止部に回動自在に固定され、上記アーム部に形成されたねじ孔に螺合する第１長尺ボルトであって、上記係止部は、上記垂直型枠のうちの建屋側型枠に固定された桟木を掛止する掛止部材、及び上記板状部材に固定されたねじ部に螺合され一端が該掛止部材に回動自在に固定された第２長尺ボルトを有し、上記掛止部材は、上記第２長尺ボルトを回すことにより上下方向に移動することも好ましい態様であり、このようにすれば垂直型枠の型板相互の間隔がことなる場合や、建屋側型枠が水平型枠から浮いた状態で設置される場合であっても、垂直型枠の傾斜を阻止することや、建屋側型枠の低下を阻止することができる。
【考案の効果】
【０００７】
本考案の垂直型枠の支持具によれば、屋外に張り出したコンクリート囲壁を形成する垂直型枠をコンクリートが打設されない外枠側から支持し、傾斜や低下が生じないよう強固に支持することが可能であり、かつ取付け、取外しが簡単で、熟練を要しない。
【図面の簡単な説明】
【０００８】
【図１】図１は、第１実施形態の垂直型枠の支持具を配置した状態を示す図である。示す図である。
【図２】図２は、第１実施形態の垂直型枠の支持具の正面図である。
【図３】図３は、第１実施形態の垂直型枠の支持具の平面図である。
【図４】図４は、第１実施形態の垂直型枠の支持具の底面図である。
【図５】図５は、第１実施形態の垂直型枠の支持具の側面図である。
【図６】図６は、第１実施形態の垂直型枠の支持具の側面図である。
【図７】図7は、第１部材の正面図及び平面図である。
【図８】図８は、第２部材の正面図及び平面図である。
【図９】図９は、図７のXYラインで切断した断面を示す図である。
【図１０】図１０は、図５のLMラインで切断した断面を示す図である。
【図１１】図１１は、第２実施形態の垂直型枠の支持具を示す図である。
【図１２】図１２は、第２の実施形態の垂直型枠の支持具における第２部材の正面図及び第２垂直アーム部の底面図である。
【図１３】、図１３は、第２の実施形態の垂直型枠の支持具における第２部材の左側面図である。
【図１４】図１４は、係止部及び掛止部の一例を示す図である。
【図１５】図１５は、第２の本実施形態における垂直型枠の支持具の断面を示す図である。
【図１６】図１６は、第３実施形態の垂直型枠の支持具の正面を示す図である。
【図１７】図１７は、第４実施形態の垂直型枠の支持具の正面を示す図である。
【考案を実施するための形態】
【０００９】
以下に、本考案の支持具の実施形態について説明する。
[第１実施形態]
図１は、第１実施形態の垂直型枠の支持具を配置した状態を示す図である。
図１に示す垂直型枠の支持具１は、屋外に張り出すベランダやバルコニーなど、上端が支持されていないコンクリート囲壁を構築する際に、スラブを形成する水平型枠２０上に組み付ける垂直型枠３０がコンクリート打設などによって傾斜しないように支持する工具である。
水平型枠２０は、パイプサポート２４に支持された大引２３に掛け渡された桟木又はパイプ２２の上に敷設されている。
垂直型枠３０は、図の矢印Aで示す建屋側に配置された建屋側型枠３１と、セパレータ３３で建屋側型枠３１と等間隔に配置された屋外側型枠３２とにより構成され、建屋側型枠３１の高さは、屋外側型枠３２の高さよりも僅かに低くなっている。
垂直型枠の支持具１は、スラブ２１を形成するための水平型枠２０に固定する第１部材５と、第１部材５に嵌合して垂直型枠３０を保持する第２部材６とにより構成されている。
第１部材５は、板状の第１水平アーム部１０と、中空の角柱からなる第１垂直アーム１１とを有し、第１水平アーム部１０及び第１垂直アーム１１によりL字形が形成された金属部材である。
第１水平アーム部１０は、ねじ孔１０aが設けてあり、水平型枠２０にホームタイ３４でねじ止めされて固定される。
第２部材６は、中空の角柱からなる第２垂直アーム部１２と中空の角柱などにより形成された第２水平アーム部１３とを有し、第２垂直アーム部１２及び第２水平アーム部１３によりL字形が形成された金属部材である。
第２垂直アーム部１２は、断面外寸が第１垂直アーム部１１の中空内寸よりもわずかに小さく、長さがほぼ同寸に構成されている。そして、第１垂直アーム部１１に抜き差し自在に嵌合される。
また、第２水平アーム部１３は、第２垂直アーム部１２とL字形をなして直結する中空の角柱部（本考案の「調整手段」に相当する。）１４と、建屋側型枠３１を係止する係止部１６及び角柱部１４に嵌合して自在に移動する嵌合部（板状部材及び嵌合部双方が本考案の「係止手段」に相当する。）１５と、嵌合部１５を水平方向に移動させる第１長尺ボルト（本考案の「移動手段」に相当する。）１８と、を有する。
本実施形態の垂直型枠の支持具１は、第１部材５の第１垂直アーム部１１が垂直型枠３０に接触するように配置され、垂直型枠３０よりも屋外側に張り出した水平型枠２０の先端部分に第１水平アーム部１０を固定する。そして、第１部材５に嵌合する第２部材６の第２水平アーム部１３で建屋側型枠３１を係止する。
従って、第１垂直アーム部１１又は第２垂直アーム部１２は、屋外側型枠３２が屋外側へ傾斜するのを阻止し、第２水平アーム部１３は、建屋側型枠３１が建屋側へ傾斜するのを阻止することができる。
【００１０】
図２〜図６は、第１の実施形態の垂直型枠の支持具を示す図であり、図２は垂直型枠の支持具の正面図、図３は垂直型枠の支持具の平面図、図４は垂直型枠の支持具の底面図、図５及び図６は、垂直型枠の支持具の左右側面図である。
図２〜図６に示すように、第２部材６は、第１部材５に内嵌めされる。
第１部材５は、板状の第１水平アーム部１０と、中空の角柱からなる第１垂直アーム部１１とを有する。
また、第２部材６は、中空の角柱からなる第２垂直アーム部１２と、中空の角柱などからなる第２水平アーム部１３とを有する。そして、第２水平アーム部１３は、第２垂直アーム部１２に直結した中空の角柱部１４と、角柱部１４の中空部分を自在に移動する嵌合部１５と、建屋側型枠３１を係止する係止部１６と、嵌合部１５を移動させる第１長尺ボルト１８とを有する。また、第１長尺ボルト１８は、角柱部１４に螺合され、係止部１６及び嵌合部１５に回動自在に固定されている。従って、第１長尺ボルト１８を一方向に回すと嵌合部１５が一方向に移動して第２垂直アーム部１２と係止部１６との間隔が開き、第１長尺ボルト１８を他方向に回すと嵌合部１５が他方向に移動して第２垂直アーム部１２と係止部１６との間隔が狭まるように構成されている。これにより、ベランダやバルコニーなどの囲壁の厚さ如何にかかわらず、垂直型枠３０を強固に保持することができる。
【００１１】
図7及び図８は、第１実施形態の垂直型枠の支持具を示す図であり、図７は、第１部材の正面図及び平面図、図８は、第２部材の正面図及び平面図である。
図７及び図８に示すように、第１部材５の第１垂直アーム部１１は、中空の角柱であり、第１水平アーム部１０は、板状部材で、水平型枠２０にホームタイ３４などでねじ止めするねじ孔１０aが設けてある。また第２部材６の第２垂直アーム部１２も、中空の角柱である。
そして、第２垂直アーム部１２の断面外寸は、第１垂直アーム部１１の断面内寸よりも僅かに小さくなっており、第２垂直アーム部１２は、第１垂直アーム部１１に抜き差し自在に内嵌めすることができる。
ここで、本実施形態の第２垂直アーム部１２は、第１垂直アーム部１１よりも断面の外寸を小さくして、内嵌めできるようにしているが、逆に、第１垂直アーム部１１の断面内寸を、第２垂直アーム部１２の断面外寸よりも僅かに小さくして、第２垂直アーム部１２を、第１垂直アーム部１１に抜き差し自在に外嵌めしてもよい。
【００１２】
図９及び図１０は、それぞれ垂直型枠の支持具を図３のXYラインで切断した断面を示す図、及び図５のLMラインで切断した断面を示す図である。
図９及び図１０に示すように、第２垂直アーム部１２は、第１垂直アーム部１１に嵌合して自在に上下動し、第２水平アーム部１３は、嵌合部１５が角柱部１４に嵌合して自在に水平移動する。
そして、角柱部１４には、第１長尺ボルト１８が螺合するねじ孔があり、第１長尺ボルト１８は、先端が係止部１６及び嵌合部１５に回動自在に固定され、ねじ孔１０aに螺合した他端側は、角柱部１４から外部に突き出している。そして、その先端には第１長尺ボルト１８を回すつまみが設置されているので、つまみを例えば右に回すと嵌合部１５は左方に移動し、左にまわすと嵌合部１５は右方に移動する。その結果、図１に示すセパレータ３３で等間隔に配置された建屋側型枠３１屋外側型枠３２が第１垂直アーム部１１又は第２垂直アーム部１３及び第２水平アーム部１３によって強固に保持され、傾斜しようとする力が作用しても、その力に抗することができる。
【００１３】
[第２実施形態]
第２実施形態の垂直型枠の支持具によって保持される垂直型枠は、スラブ表面に溝を形成するための溝部材が建屋側型枠の下端に配置されている。従って、第１実施形態の垂直型枠の支持具に較べて、水平型枠から浮いた状態に組み付けられた建屋側型枠の下端位置が低下しないように保持する機能を持たせた点が相違する。しかしながら、それ以外の機能は共通するので、相違点を中心に説明する。
図１１は、第２実施形態の垂直型枠の支持具を示す図である。
図１１に示す垂直型枠の支持具２は、第１実施形態の垂直型枠の支持具１と同様に、屋外に張り出すベランダやバルコニーなど、上端が支持されていないコンクリート囲壁を構築する際に、スラブを形成する水平型枠２０上に組み付ける垂直型枠３０がコンクリート打設などによって傾斜しないように支持する機能と、建屋側型枠３１の下端位置が低下しないように保持する機能とを有する。
本実施形態における垂直型枠３０は、建屋側型枠３１の下端に溝を形成する溝部材３５が固定され、建屋側型枠３は、水平型枠２０から浮いた状態で建て込まれるので、コンクリートが打設されたとき、垂直型枠３０が傾斜するのを阻止すると共に、溝の位置が変わらないように高さも保持する必要がある。
従って、第１部材５は、第１の実施形態における第１部材５と同じであるが、第２部材６の第２水平アーム部１３は、第２垂直アーム部１２に直結する角柱部１４と、角柱部１４に嵌合して自在に水平移動する嵌合部１５と、嵌合部１５に固定され建屋側型枠３１を係止する係止部１６と、嵌合部１５を水平方向に移動すると第１長尺ボルト１８とを有するほかに、係止部１６に沿って上下に移動する掛止部１７と、係止部１６に固定されたねじ部１６aと、ねじ部１６aに螺合して掛止部１７を上下方向に移動させる第２長尺ボルト１９と、を備えている。
その結果、係止部１６によって建屋側型枠３１が建屋側に傾斜するのを阻止する一方、掛止部１７によって、建屋側型枠３１に取り付けられた桟木３１aを掛止し、建屋側型枠３１が低下するのを阻止して溝位置が変わるのを防ぐことができる。
【００１４】
図１２〜図１３は、第２の実施形態の垂直型枠の支持具を示す図であり、図１２は、第２部材の正面図及び第２垂直アーム部の底面図、図１３は、第２部材の左側面図である。
第２部材６は、中空の角柱からなる第２垂直アーム部１２と、中空の角柱などからなる第２水平アーム部１３とを有する。そして、第２水平アーム部１３は、第２垂直アーム部１２に直結した中空の角柱部１４と、角柱部１４の中空部分を自在に移動する嵌合部１５と、建屋側型枠３１を係止する係止部１６と、嵌合部１５を移動させる第１長尺ボルト１８とを有し、第１長尺ボルト１８は、角柱部１４に螺合され、嵌合部１５に回動自在に固定されている。本実施形態の第２部材６は、さらに、図１１に示す建屋側型枠３１の桟木３１aを掛止する掛止部１７と、係止部１６に固定されたねじ部１６aと、掛止部１７に固定された穴あき部材１７aと、一端がねじ部１６aに螺合され、他端が穴あき部材１７aに回動自在に固定された第２長尺ボルト１９とを有する。従って、第２長尺ボルト１９を回すことにより掛止部１７を上下に移動させて、桟木３１aの配置位置に応じて建屋側型枠３１をしっかりと保持することができるので、建屋側型枠３１の高さが低下することや、建屋側型枠３１が建屋側に傾斜するのを阻止することができる。
【００１５】
図１４は、係止部及び掛止部の一例を示す図である。
図１４に一例を示すように係止部板１６は断面がコ字形をなした金属部材であり、掛止部１７はL字形をなした金属部材である。係止部板１６には、雌ねじが刻まれたねじ部１６aが固定され、掛止部１７には、穴あき部材１７がねじ部１６aと対向する位置に固定されている。
そして、ねじ部１６aに螺合した第２長尺ボルト１９が穴あき部材１７に挿入され、回動自在に固定されている。また、ここで示す係止部板１６は、断面がコ字形をしているので、掛止部１７が上下に真直ぐ動けるように規制されている、
【００１６】
図１５は、本実施形態における垂直型枠の支持具の断面を示す図である。
図１５に示すように、第２垂直アーム部１２は、第１垂直アーム部１１に移動自在に嵌合し、第２水平アーム部１３は、嵌合部１５が角柱部１４に移動自在に嵌合している。
そして、角柱部１４には、第１長尺ボルト１８が螺合するねじ孔１３aがあり、第１長尺ボルト１８は、先端が嵌合部１５に回動自在に固定されている。また、ねじ孔１３aに螺合した他端側は、角柱部１４から外部に突き出しており、その先端には第１長尺ボルト１８を回すつまみがある。
従って、つまみを回すと嵌合部１５は図の左右方向に移動するので、図１１に示すセパレータ３３で等間隔に配置された建屋側型枠３１と屋外側型枠３２が第１垂直アーム部１１又は第２垂直アーム部１２及び第２水平アーム部１３によって強固に保持される。
また、本実施形態の第２水平アーム部１３は、係止部１６にねじ部１６aが固定され、そのねじ部１６aに螺合した第２長尺ボルト１９の先端が掛止部１７に固定された穴あく部材１７aに回動自在に固定されている。
従って、第２長尺ボルト１９のつまみを回すと掛止部１７が上下に移動し、建屋側型枠３１に取り付けられた桟木３１aを掛止するので、建屋側型枠３１が建屋側に傾くのを阻止することや建屋側型枠３１が低下するのを阻止できる。
【００１７】
[第３実施形態]
第３実施形態は、第１垂直アーム部と第２垂直アーム部とが一体化されて第３部材を構成し、第２水平アーム部における角柱部を除外したもので第４部材を構成している点が第１実施形態と相違する。従って、相違点についてのみ説明し、重複する説明は省略する。
図１６は、第３実施形態の垂直型枠の支持具の正面を示す図である。
図１６に示すように、第３実施形態の垂直型枠の支持具３は、第３部材７と、第３部材７に嵌合する第４部材８とからなる。
第３部材７は、L字形の中空のアーム部４１と、そのアーム部４１の一端に固定されたL字形の平板部（第１実施形態の「第１水平アーム部」に相当する。）４２とを有し、アーム部４１には、先端が第４部材８に回動自在に固定され、第４部材８を水平方向に移動させる第１長尺ボルト１８が螺合されている。
第４部材８は、アーム部４１の中空の他端に嵌合され、水平型枠２０と並行に移動する嵌合部１５と、垂直型枠３０の上端を係止する係止部１６とを有している。
そして、アーム部４１が垂直型枠３０に接触するように第３部材７を配置し、平板部４２を水平型枠２０に固定する。また、第４部材８の係止部１６が建屋側型枠３１に当接するように第１長尺ボルト１８を回して嵌合部１５を移動させる。
【００１８】
[第４実施形態]
第４実施形態は、第１垂直アーム部と第２垂直アーム部とが一体化されて第３部材が構成され、第２水平アーム部のうちの角柱部を除いたもので第４部材が構成されている点が第２実施形態と相違する。
従って、相違点についてのみ説明し、重複する説明は省略する。
図１７は、第４実施形態の垂直型枠の支持具の正面を示す図である。
図１７に示すように、第４実施形態の垂直型枠の支持具４は、第３部材７と、第３部材７に嵌合する第４部材８とからなる。
第３部材７は、第３実施形態と同様に、L字形の中空のアーム部４１と、そのアーム部４１の一端に固定されたL字形の平板部（第２実施形態の「第１水平アーム部」に相当する。）４２と、を有し、アーム部４１には、先端が第４部材８に回動自在に固定され、第４部材８を水平方向に移動させる第１長尺ボルト１８が螺合されている。
しかしながら、第４部材８は、アーム部４１の中空の他端に嵌合され、水平型枠２０と並行する方向に移動する嵌合部１５と、垂直型枠３０の上端を係止する係止部１６のほかに、図１１に示した建屋側型枠３１に固定された桟木３１aを掛止する掛止部１７と、係止部１６に固定されたねじ部１６aと、掛止部１７に固定された穴あき部材１７aとがあり、第２長尺ボルト１９の一端が係止部１６に螺合され、他端が掛止部１７に回動自在に固定されている。
そして、アーム部４１が垂直型枠３０に接触するように第３部材７を配置し、平板部４２を水平型枠２０に固定する。また、第４部材８の係止部１６が建屋側型枠３１に当接するように第１長尺ボルト１８を回して嵌合部１５を移動させる。さらに、第２長尺ボルト１９を回して掛止部１７の位置を移動し、建屋側型枠３１の桟木３１aを掛止し、その高さが変わらないように保持する。
【産業上の利用可能性】
【００１９】
ベランダやバルコニーの他、上端の支持がない比較的高さの低い垂直な壁面を構築する際に建て込む型枠の支持具として活用できる。
【符号の説明】
【００２０】
１、２、３，４、    垂直型枠の支持具
５      第１部材
６      第２部材
７      第３部材
８      第４部材
１０      第１水平アーム部      
１０a     ねじ部  
１１      第１垂直アーム部
１２      第２垂直アーム部
１３      第２水平アーム部
１４      角柱部
１５      嵌合部
１６      係止部
１６a     ねじ部
１７      掛止部
１７a     穴あき部材
１８      第１長尺ボルト
１９      第２長尺ボルト
２０      水平型枠
３０      垂直型枠
３１      建屋側型枠
３１a     桟木
３２      屋外側型枠
３３      セパレータ
３４      ホームタイ
３５      溝部材
４１      アーム部
４２      平板部
【図１】
0003211868.tif 000003
【図２】
0003211868.tif 000004
【図３】
0003211868.tif 000005
【図４】
0003211868.tif 000006
【図５】
0003211868.tif 000007
【図６】
0003211868.tif 000008
【図７】
0003211868.tif 000009
【図８】
0003211868.tif 000010
【図９】
0003211868.tif 000011
【図１０】
0003211868.tif 000012
【図１１】
0003211868.tif 000013
【図１２】
0003211868.tif 000014
【図１３】
0003211868.tif 000015
【図１４】
0003211868.tif 000016
【図１５】
0003211868.tif 000017
【図１６】
0003211868.tif 000018
【図１７】
0003211868.tif 000019
【手続補正書】
【提出日】平成29年6月15日(2017.6.15)
【手続補正１】
【補正対象書類名】実用新案登録請求の範囲
【補正対象項目名】全文
【補正方法】変更
【補正の内容】
【実用新案登録請求の範囲】
【請求項１】
スラブの水平型枠上に組み付けられ、屋外に張り出すコンクリート囲壁を形成する垂直型枠の支持具であって、
前記水平型枠と平行な第１水平アーム部及び前記垂直型枠と平行な第１垂直アーム部がL字形をなし、該第１垂直アーム部が該垂直型枠に接触するように配置して該第１水平アーム部を該水平型枠に固定する第１部材と、
前記水平型枠と平行に伸縮自在な第２水平アーム部及び前記垂直型枠と平行な第２垂直アーム部がL字形をなし、該第２垂直アーム部を前記第１垂直アーム部に着脱自在に嵌合させ、該第２水平アーム部で該垂直型枠上端を保持する第２部材と、を備えたことを特徴とする垂直型枠の支持具。
【請求項２】
前記第１水平アーム部は、前記垂直型枠よりも屋外側に張り出した前記水平型枠の先端部分に固定され、
前記第１垂直アーム部又は前記第２垂直アーム部は、前記垂直型枠のうち屋外側に配置された屋外側型枠の屋外側への傾斜を阻止し、
前記第２水平アーム部は、セパレータにより前記屋外側型枠と等間隔に組み付けられた建屋側型枠の建屋側への傾斜を阻止することを特徴とする請求項１記載の垂直型枠の支持具。
【請求項３】
前記第２水平アーム部は、前記第２垂直アーム部に直結した中空の調整手段と、
該調整手段に移動自在に嵌合して前記垂直型枠を係止する係止手段と、該係止手段を水平方向に移動させる移動手段とを備え、該調整手段の中空部分を該係止手段が移動することにより伸縮自在であることを特徴とする請求項２記載の垂直型枠の支持具。
【請求項４】
前記係止手段は、前記建屋側型枠を係止する係止部と前記調整手段の中空部分を自在に移動する嵌合部とを有し、
前記移動手段は、前記嵌合部又は前記係止部に回動自在に固定され、前記調整手段に形成されたねじ孔に螺合する第１長尺ボルトであることを特徴とする請求項３記載の垂直型枠の支持具。
【請求項５】
前記建屋側型枠は、前記スラブ表面に溝を形成する溝部材が下端に配置されたものであって、
前記係止手段は、前記建屋側型枠の桟木を掛止する掛止部と、前記係止部に固定されたねじ部に螺合され一端が該掛止部に回動自在に固定された第２長尺ボルトとを有し、
前記掛止部は、第２長尺ボルトを回すことにより上下方向に移動することを特徴とする請求項４記載の垂直型枠の支持具。
【請求項６】
スラブの水平型枠上に組み付けられ、屋外に張り出すコンクリート囲壁を形成する垂直型枠の支持具であって、
L字形の中空のアーム部及び該アーム部の一端に固定されたL字形の平板部を有し、該アーム部が前記垂直型枠に接触するように配置して該平板部を前記水平型枠に固定する第３部材と、
前記アーム部の中空の他端に嵌合されて前記水平型枠と並行に移動する嵌合部及び前記垂直型枠の上端を係止する係止部を有する第４部材とを備え、
前記第３部材は、前記第４部材を水平方向に移動させる移動手段を有することを特徴とする垂直型枠の支持具。
【請求項７】
前記移動手段は、先端が前記嵌合部に回動自在に固定され、前記アーム部に形成されたねじ孔に螺合する第１長尺ボルトであって、
前記係止部は、前記垂直型枠のうちの建屋側型枠に固定された桟木を掛止する掛止部、前記係止部に固定されたねじ部、該ねじ部に螺合され、一端が該掛止部に回動自在に固定された第２長尺ボルトを有し、
前記掛止部は、前記第２長尺ボルトを回すことにより上下方向に移動することを特徴とする請求項６記載の垂直型枠の支持具。